(57)【要約】      （修正有）【課題】患者の頸部の矢状断面のＸ線ＣＴ画像などに側面から見た気管カニューレの輪郭線が描かれた透明なシートを重ねて見ることによって、もっとも患者に適したチューブの径、長さ、曲がり具合の気管カニューレを容易に選択できるテンプレートを提供する。【解決手段】透明なプラスチック製シートとして厚さ約０．３ｍｍのポリエステル製シートを使用し、このシートに気管カニューレの輪郭線としてフランジ部分、コネクタ部分およびチューブ部分とからなる輪郭線を描く。チューブ部分はチュ−ブの径、長さ、曲がり具合を実物と同様に描く。そしてチュ−ブの曲がり具合のきつめのものと、ゆるめのものとを大別し、きつめのグループとゆるめのグループにそれぞれチューブの径の異なるものをチューブ部分が重ならないように描き、同じ径で長さが異なるものは重ねて描く。これらの輪郭線の付近には相当する気管カニューレの製品番号を記載する。【選択図】図１
0003177893.tif 000002
【実用新案登録請求の範囲】
【請求項１】
気管カニューレの側面から見た輪郭線が描かれた透明なプラスチック製シートからなる気管カニューレ用テンプレート。
【請求項２】
前記気管カニューレの輪郭線以外に文字が書かれており、その文字が書かれている部分は不透明あるいは半透明である請求項１記載の気管カニューレ用テンプレート。
【請求項３】
１枚の透明なプラスチック製シートにチューブの径、長さ、曲がり具合が異なる複数個の気管カニューレの側面から見た輪郭線が描かれた透明なプラスチック製シートからなる請求項１または２に記載の気管カニューレ用テンプレート。
【考案の詳細な説明】
【技術分野】
【０００１】
本考案は、患者に適した気管カニューレの選択に用いるテンプレートに関するものである。
【背景技術】
【０００２】
気管カニューレは、気道確保のために頸部に外科手術によって設けられた気管切開口に留置するチューブである。主に気管切開口から気管に挿入されるチューブ部分、気管カニューレの固定のためのフランジ部分、人工呼吸器等との接続のためのコネクタ部分からなる。気管切開は、上気道の狭窄による呼吸障害がある患者、人工呼吸器と長期間接続が必要な患者、あるいは頻回に気管内の痰の吸引が必要な患者などに行われる。気管カニューレの役割は、気管切開口が自然に閉塞しないようにすること、また呼吸のルートあるいは吸引チューブを挿入するためのルートとなることである。
【０００３】
気管カニューレは、複数種類が市販されている。各種類の気管カニューレには、患者の体格（特に気管の太さ）に合わせて選べるようにチューブ部分の径が異なるものが用意されている。しかし同一種類の気管カニューレでは、径を指定すれば、チューブ部分の長さや曲がり具合に選択肢はなく、単純にチューブ部分の径のみを患者に合わせて選択されていた。径以外、すなわち長さや曲がり具合が患者に合わない場合には、多少無理でもそのままそれを使用したり、あるいは他の種類の気管カニューレから患者に合うものを探して使うことが行われていた。合わない気管カニューレを使うことは、患者に痛みや不快感を与えたり、また気管粘膜の損傷や出血の原因となった。他の種類の気管カニューレを使う場合には、気管カニューレ同士を見比べることである程度の判断は可能であるが、本当に合うかどうかは実際に使ってみないと不明であった。
【０００４】
近年、同一種の気管カニューレ内で、患者によりよく合わせられるように、ひとつの径ごとにチューブ部分の曲がり具合が２種類あり、さらにそのそれぞれに長さが２種類、すなわち１つの径ごとに４つの選択肢から選べる気管カニューレが登場した。しかし、この４つの中からどれがもっとも患者に適するかを判断するのは困難なことであった。
【考案の概要】
【考案が解決しようとする課題】
【０００５】
チューブの径、長さ、曲がり具合の異なった複数の気管カニューレの中から、もっとも患者に適した気管カニューレを容易に選択できるようにすることが本考案の課題である。
【課題を解決するための手段】
【０００６】
本考案の要旨は気管カニューレの側面から見た輪郭線が描かれた透明なプラスチック製シートからなる気管カニューレ用テンプレートである。そしてこの気管カニューレ用テンプレートには前記気管カニューレの輪郭線以外に気管カニューレの製品番号、曲がり具合、寸法等の情報が文字で書かれていることが好ましく、該文字が書かれている部分は文字を判読しやすくするために不透明あるいは半透明になっていることが好ましい。さらに、１枚の透明のプラスチック製シートにチューブの径、長さ、曲がり具合が異なる複数個の気管カニューレの側面から見た輪郭線を描くことで最適のカニューレを選定しやすくなるので好ましい。
【考案の効果】
【０００７】
患者の頸部の矢状断面のＸ線ＣＴ画像などに側面から見た気管カニューレの輪郭線が描かれた透明なシートを重ねて見ることによって、もっとも患者に適したチューブの径、長さ、曲がり具合の気管カニューレを容易に選択できる。
【図面の簡単な説明】
【０００８】
【図１】実施例に示されている本考案に係る気管カニューレ用テンプレートの平面図である。
【考案を実施するための形態】
【０００９】
本考案に係る気管カニューレ用テンプレートについて更に説明する。
本考案に係る気管カニューレ用テンプレートは透明なプラスチック製のシートに、対象とする気管カニューレの側面から見たときの輪郭線が実物大で描かれているのであって、その際、気管カニューレ全体の輪郭線は必ずしも必要ではないが、少なくともチューブ部分の輪郭線は必要である。また、該テンプレートには気管カニューレの輪郭線だけではなく、その輪郭線がどの製品に対応するのかがわかるように製品番号等も記載されている方が望ましい。さらに１枚の透明なプラスチック製シートにチューブの径、長さ、曲がり具合が異なる複数個の気管カニューレの側面から見た輪郭線を描くことにより最適のカニューレを選定しやすくなるので好ましく、その際、対象とする製品の各部の寸法や製品番号がわかるように一覧表も記載されている方が望ましい。
気管カニューレの輪郭線が描かれている部分は、下に重ねるＸ線ＣＴ画像等が見える程度には透明である必要があるが、製品番号等の文字が書かれている部分は不透明あるいは半透明の方が望ましい。透明で背景が見えてしまうと文字が読みにくいからである。
【００１０】
本願考案において使用するプラスチック製シートの材質は、透明度があり、ほどよい強度とたわみやすさがあれば何でもよく、例えばポリエステル、ポリエチレン、ポリプロピレン、ポリ塩化ビニルなどがよい。厚さは材質にもよるが、０．０５〜０．５ｍｍがよい。薄すぎたり柔らかすぎたりして過度にたわむと、片手だけでテンプレートを持ってＸ線ＣＴ画像等に重ね合わせる操作がしにくい。逆に厚すぎたり硬すぎたりして全くたわまないと、テンプレートの一端を持ったままＸ線ＣＴ画像等に隙間なく重ね合わせる操作がしにくくなる。テンプレートの大きさは、必要な気管カニューレの輪郭線が描ける大きさが必要であるが、あまり大きくなりすぎるとＸ線ＣＴ画像等に重ね合わせにくくなる。Ａ５判からＡ３判の大きさが適当であり、Ａ４判程度の大きさがもっともよい。
本願考案に係る気管カニューレ用テンプレートは１枚の透明なプラスチック製シートに１つの気管カニューレを描いたものを複数枚で１組としてもよく、或いは複数個の気管カニューレを１枚のプラスチック製シートに並べて描いてもよい。１枚のプラスチック製シートに並べて描いた場合、気管カニューレの輪郭線は、それぞれが重ならないように描いてもよいが、場合によっては２つ以上の気管カニューレを重ねて描いても構わない。径と曲がり具合が同じで長さだけ異なる場合には、むしろ重ねて描いた方が、長さだけが異なるのが明確にわかってよい。
気管カニューレ用テンプレートは、描かれた輪郭線や文字などを保護する目的で別の薄いポリエステルなどのプラスチックシートでラミネートされていてもよい。
【実施例】
【００１１】
本願考案の気管カニューレ用テンプレートの実施例として図１を示すが、本願考案は該実施例に限られるものではない。
図１において、透明なプラスチック製シートとして厚さ約０．３ｍｍのポリエステル製シートを使用し、このシートに気管カニューレの輪郭線としてフランジ部分、コネクタ部分およびチューブ部分とからなる輪郭線を描く。チューブ部分はチュ−ブの径、長さ、曲がり具合を実物と同様に描く。そしてチュ−ブの曲がり具合のきつめのものと、ゆるめのものとを大別し、きつめのグループとゆるめのグループにそれぞれチューブの径の異なるものをチューブ部分が重ならないように描き、同じ径で長さが異なるものは重ねて描く。これらの輪郭線の付近には相当する気管カニューレの製品番号を記載する。そして、該テンプレートの輪郭線が描かれていない部分に気管カニューレの各部の寸法や製品番号がわかる一覧表を記載する。製品番号等の文字を記載した部分は読みやすいようにシートを不透明とする。
使用方法は、患者の頸部の矢状断面のＸ線ＣＴ画像に気管カニューレ用テンプレートを重ね、最も患者に適する輪郭線の製品番号の気管カニューレを選定し、この気管カニューレを使用することによって患者の不快感を和らげることができる。
【産業上の利用可能性】
【００１２】
本考案に係る気管カニューレ用テンプレートを利用することで、チューブの径、長さ、曲がり具合の異なった複数の気管カニューレの中から、もっとも患者に適した気管カニューレを容易に選択できる。
【図１】
0003177893.tif 000003